(57)【要約】【課題】小型で安定した電圧を供給することができ、しかも安価な電源用ＩＣを備えた液晶表示装置を提供すること。【解決手段】液晶セルと、ゲートドライバと、ソースドライバと、制御用ＩＣと、γ補正用電圧を供給するγ補正回路と、電源供給用ＩＣと、を備えた液晶表示装置において、前記電源供給用ＩＣ１３は、前記制御用ＩＣ、ゲートドライバ及びソースドライバの駆動用電圧を出力する第１の電源回路２２と、前記ソースドライバを介して前記列ラインに印加するための電圧を発生する第２の電源回路２３と、前記ゲートドライバを介して前記行ラインに互いに切換印加するためのそれぞれ高電圧及び低電圧を発生する第３及び第４の電源回路３４、３５と、前記γ補正回路用の基準電圧を発生する第５の電源回路２５と、前記液晶セルの共通電極用の電圧を発生する第６の電源回路２６と、を一体化して内蔵するようにする。【選択図】図２
2006171367.tif 000002
【特許請求の範囲】
【請求項１】
複数の行ライン及び複数の列ラインを有する液晶セルと、各行ラインを駆動するゲートドライバと、各列ラインを駆動するソースドライバと、前記ゲートドライバ及びソースドライバに各種信号を出力する制御用集積回路と、前記ソースドライバにγ補正用電圧を供給するγ補正回路と、電源供給用集積回路と、を備えた液晶表示装置において、前記電源供給用集積回路は、前記制御用集積回路、ゲートドライバ及びソースドライバの駆動用電圧を出力する第１の電源回路と、前記ソースドライバを介して前記列ラインに印加するための電圧を発生する第２の電源回路と、前記ゲートドライバを介して前記行ラインに互いに切換印加するためのそれぞれ高電圧及び低電圧を発生する第３及び第４の電源回路と、前記γ補正回路用の基準電圧を発生する第５の電源回路と、前記液晶セルの共通電極用の電圧を発生する第６の電源回路と、を一体化して内蔵したことを特徴とする液晶表示装置。
【請求項２】
前記第５の電源回路が複数の演算増幅器からなる複数の定電圧を発生する定電圧発生回路からなり、前記第６の電源回路が演算増幅器からなる定電圧発生回路であることを特徴とする請求項１に記載の液晶表示装置。
【請求項３】
前記第１の電源回路及び第２の電源回路がスイッチングレギュレータであることを特徴とする請求項１に記載の液晶表示装置。
【請求項４】
前記第３及び第４の電源回路がそれぞれチャージポンプ用パルス生成回路からなることを特徴とする請求項１に記載の液晶表示装置。
【請求項５】
前記電源用集積回路はさらに過電流保護回路及びスイッチオンリセット回路を一体に備えており、前記過電流保護回路は電源投入時にリセットされるようになされていることを特徴とする請求項１〜４のいずれかに記載の液晶表示装置。
【請求項６】
前記電源用集積回路はさらに電源投入時に前記第１〜第６の電源回路を所定の順番にしたがって作動するように制御するシーケンス制御回路を備えていることを特徴とする請求項１〜５のいずれかに記載の液晶表示装置。
【請求項７】
前記シーケンス制御回路は、第１の電源回路、第４の電源回路、第２の電源回路、第３の電源回路の順に作動させるようになされていることを特徴とする請求項６に記載の液晶表示装置。
【発明の詳細な説明】
【技術分野】
【０００１】
本発明は、γ補正回路及びコモン電圧供給用電源回路を有する液晶表示装置に関し、特にアナログ回路であるγ補正回路用の電源供給回路及びコモン電圧供給用電源回路と、デジタル回路である液晶表示装置駆動用の他の電源回路とを一体化し、小型で安定した電圧を供給することができ、しかも安価な電源用集積回路（ＩＣ）を備えた液晶表示装置に関する。
【背景技術】
【０００２】
陰極線管（ＣＲＴ、ブラウン管）においては、駆動電圧Ｖと発光輝度Ｙとの間の関係は比例関係ではなく、Ｙ＝ＫＶγという関係式で表現される。この定数γをガンマ（ｇａｍｍａ）と呼び、わが国のテレビジョン（ＴＶ）方式においては、あらかじめこの特性を考慮しγ＝２．２として送信側で補正を行っている。送信側で元の信号に加えられたγ補正は、画像の明るさだけでなく赤・緑・青（ＲＧＢ）の割合まで変えてしまうが、受信側ではそのγ補正された信号をＣＲＴで表示すると、駆動電圧Ｖと発光強度Ｙとの関係が比例関係となって、元の色を再現できるようになっている。
【０００３】
しかしながら、特に液晶表示装置においては、駆動電圧と輝度ないし透過光量との間の関係はＣＲＴの場合とは異なるので、ＴＶ受信機用の液晶表示装置においては受信側でγ補正を行ってＣＲＴで表示した場合と同様の色が再現できるようにする必要がある。
【０００４】
たとえば、液晶表示装置における液晶表示パネルの液晶セルに印加される電圧Ｖと光の透過率Ｔとの関係、即ちＶ−Ｔ特性の一例を図３に示す。この場合、８ビット＝２５６の階調表示ができる液晶表示装置とするために、印加電圧を均等に分割し、２５６階調の信号レベルとし、黒レベルの透過率を０、白レベルの透過率を１００％として正規化するならば、図４に示すような信号レベル対透過率Ｔの関係となる。ここで、信号レベルの０は黒を、信号レベルの２５５は白を意味する。
【０００５】
一方、人間の目が表示された画像に対して違和感なく自然に感じるのは、画像の信号レベルと輝度との関係が図５のＴＶモード曲線に示すような特性でなければならないことが知られている。この場合、信号レベルＸと透過率Ｔの関係は、Ｔ＝Ｘγで表される。この定数γもガンマとよばれ、液晶表示パネルではγ＝２．０〜２．６程度が良いといわれている。なお、図５のＴＶモード曲線はγ＝２．２の場合の曲線を示す。
【０００６】
したがって、図３及び図４の特性を有する液晶表示パネルを使用して、図５に示したＴＶモードの特性を持つ液晶表示装置とするためには、図４の特性を持つ液晶表示パネルの液晶セルにかける電圧として、図５に示したＴＶモードの出力と同一の輝度が得られる信号レベルに相当するアナログ電圧を液晶セルに印加すればよいことになる。このような信号階調レベルと印加電圧との関係の一例を図６に示す。
【０００７】
最近の液晶表示パネルを使用したＴＶ受信機のγ補正は列駆動信号を制御することで行っている（下記特許文献１〜３参照）。そこで、以下において従来の液晶表示装置を図７及び図８を用いて説明する。なお、図７は従来の液晶表示装置の概略構成を示すブロック図であり、図８は階調電圧生成回路の一具体例である。
【０００８】
図７に示した液晶表示装置５０は、液晶表示パネル５１と駆動回路部５２とに大きく分けられる。液晶表示パネル５１は、例えばガラス基板上に複数本設けられた列ライン５３及び行ライン５４と、列ライン５３及び行ライン５４の交点付近に形成されるＴＦＴ５５と、ＴＦＴ５５に接続される画素電極５６と、画素電極５６と対向電極５７との間に形成される液晶容量ＣＬと、画素電極５６と補助容量電極５８との間に形成される補助容量ＣＲとから構成されている。
【０００９】
駆動回路部５２は、図示しないコンピュータ、テレビジョン装置、ビデオ再生装置、ＤＶＤ（Digital Versatile Disk）再生装置等から、必要に応じてＡ／Ｄ変換回路等を経て、たとえばＲＧＢ各８ビットのデジタル画素データや同期信号等を取り込む入力インタフェース回路５９と、ＴＦＴ５５のゲート電圧を制御するゲートドライバ６０と、γ補正電圧を生成するγ補正電圧生成回路６１及び階調電圧を生成する階調電圧生成回路６２とからなるγ補正回路６３と、対向電極５７に印加するコモン電圧Ｖcomを生成するコモン電圧生成回路６４と、ＴＦＴ５５のソース端子に接続されて列ラインの電圧を制御するソースドライバ６５と、全体の制御を行う制御用ＩＣ６６とを備えている。
【００１０】
ソースドライバ６５は、液晶表示パネル５１の複数の列ラインごとに、例えばＴＣＰ（Tape Carrier Package）方式やＣＯＧ（chip on glass）方式により設けられている。各ソースドライバ６５には、階調電圧生成回路６２から出力された複数の階調基準電圧ＶＧＭ１〜ＶＧＭ１０と、入力インタフェース回路５９で取り込んだデジタル画素データとが入力され、各ソースドライバ６５は、デジタル画素データの値に応じた階調電圧を階調基準電圧に基づいて生成し、所望の電圧を対応する列ラインに供給する。
【００１１】
階調電圧生成回路６２は、通常は図８に示すように、直列接続された複数の抵抗素子、たとえば１１本の抵抗Ｒ０〜Ｒ１１が直列に接続された抵抗分割回路によって図示しない定電圧源から供給されている一定の電圧ＶＲを１０分割し、図５に示した理想出力曲線画が得られるように任意に選択した１０個の基準電圧ＶＧＭ１〜ＶＧＭ１０を得、このＶＧＭ１〜ＶＧＭ１０を、各ソースドライバ６５内に設けられているＤ／Ａコンバータに供給する。この階調電圧生成回路６２自体で生成する基準電圧は、複数個であれば任意であるが、あまり数が少ないと補正間隔が粗くなるため、通常６個以上、特に高精度補正の場合には８個以上が使用されている。
【００１２】
この抵抗Ｒ０〜Ｒ１１の直列回路の両端には、コモン電圧Ｖcomに対して互いに反転する基準電圧あるいは反転しない基準電圧ＶＣＯＭ１、ＶＣＯＭ２が供給される。一般に液晶表示装置は、焼き付き、あるいはフリッカを低減するために１水平ライン等の所定の水平ラインごとや１フレームごとに反転する電圧が印加されるため、反転しない基準電圧ＶＣＯＭ１、ＶＣＯＭ２が供給される場合は、その電圧レベルは一定であるが、その電圧の反転は各ソースドライバ６５内部において液晶表示パネル１１に供給する際に行われる。そして、図８に示した複数の直列接続された抵抗素子Ｒ０〜Ｒ１１の段間から階調電圧ＶＧＭ１〜ＶＧＭ１０が出力される。なお、γ補正電圧生成回路６１は、詳細な説明は省略するが、演算増幅器を備え、階調電圧ＶＧＭ１〜ＶＧＭ１０を所望のγカーブになるように、微調整ないし切り換えるために設けられるものであり、必要に応じて設けられるものである。
【００１３】
このようにして、ソースドライバ６５において、液晶表示パネル５１の列ライン５３に印加する階調表示用電圧をアナログ電圧に変換することにより、液晶表示パネル５１の光透過率をＲＧＢの各画素に対して８ビット、すなわち２５６段階の階調表示を実現している。
【特許文献１】特開２００２−１７５０６０号公報
【特許文献２】特開２００２−２５０９０８号公報
【特許文献３】特開２００３−２９５８４２号公報
【発明の開示】
【発明が解決しようとする課題】
【００１４】
上述のように、従来の液晶表示装置によれば、所定のγ補正を行った画像表示が可能であるが、γ補正回路６３やコモン電圧生成回路６４はアナログ回路であって演算増幅器を含んでおり、これらの演算増幅器がデジタルＩＣである入力インタフェース回路５９及び制御用ＩＣ６６とは独立して設けられているため、（１）演算増幅回路のフィードバック線が長くなってノイズが乗りやすいので、出力電圧が不安定になる。（２）回路全体が大きくなり、コスト高になる、という問題点が存在している。
【００１５】
従来から、アナログ信号処理回路とデジタル信号処理回路を同一ＩＣ内に集積することはアナログ信号とデジタル信号の相互干渉を防ぐことが難しいために避けるべきであると言われていた。しかし、近年の電子機器の小型化、電子デバイスの微細化、高機能化、省電力化への要求の高まりに伴う半導体の微細加工による集積技術の向上はめざましく、アナログ信号処理回路とデジタル信号処理回路を一つの回路に混載する集積技術、すなわちアナログ／デジタル混載回路が多くの分野で採用されるようになっている。
【００１６】
本願の発明者等は、上述のような液晶表示装置における外付けの演算増幅器の存在の問題点を解決すべくアナログ／デジタル混載回路の適用について種々検討を重ねた結果、液晶表示装置駆動用の電源供給回路を集積すれば容易に上述の（１）及び（２）の問題点を解決できることを見出し、本発明を完成するに至ったのである。
【００１７】
すなわち、本発明は、アナログ回路であるγ補正回路用の電源供給回路及びコモン電圧供給用電源回路と、デジタル回路である液晶表示装置駆動用の他の電源回路とを一体化し、小型で安定した電圧を供給することができ、しかも安価な電源用ＩＣを備えた液晶表示装置を提供することを目的とする。
【課題を解決するための手段】
【００１８】
本発明の上記目的は以下の構成により達成し得る。すなわち、請求項１の液晶表示装置の発明によれば、複数の行ライン及び複数の列ラインを有する液晶セルと、各行ラインを駆動するゲートドライバと、各列ラインを駆動するソースドライバと、前記ゲートドライバ及びソースドライバに各種信号を出力する制御用ＩＣと、前記ソースドライバにγ補正用電圧を供給するγ補正回路と、電源供給用ＩＣと、を備えた液晶表示装置において、前記電源供給用ＩＣは、前記制御用ＩＣ、ゲートドライバ及びソースドライバの駆動用電圧を出力する第１の電源回路と、前記ソースドライバを介して前記列ラインに印加するための電圧を発生する第２の電源回路と、前記ゲートドライバを介して前記行ラインに互いに切換印加するためのそれぞれ高電圧及び低電圧を発生する第３及び第４の電源回路と、前記γ補正回路用の基準電圧を発生する第５の電源回路と、前記液晶セルの共通電極用の電圧を発生する第６の電源回路と、を一体化して内蔵したことを特徴とする。
【００１９】
また、請求項２の発明は、請求項１に記載の液晶表示装置において、前記第５の電源回路が複数の演算増幅器からなる複数の定電圧を発生する定電圧発生回路からなり、前記第６の電源回路が演算増幅器からなる定電圧発生回路であることを特徴とする。
【００２０】
また、請求項３の発明は、請求項１に記載の液晶表示装置において、前記第１の電源回路及び第２の電源回路がスイッチングレギュレータであることを特徴とする。この場合、スイッチングレギュレータの出力トランジスタは、発熱の関係から外付けとしても良い。
【００２１】
また、請求項４の発明は、請求項１に記載の液晶表示装置において、前記第３及び第４の電源回路がそれぞれチャージポンプ用パルス生成回路からなることを特徴とする。
【００２２】
また、請求項５の発明は、請求項１〜４のいずれかに記載の液晶表示装置において、前記電源用ＩＣはさらに過電流保護回路及びスイッチオンリセット回路を一体に備えており、前記過電流保護回路は電源投入時にリセットされるようになされていることを特徴とする。
【００２３】
また、請求項６の発明は、請求項１〜５のいずれかに記載の液晶表示装置において、前記電源用ＩＣはさらに電源投入時に前記第１〜第６の電源回路を所定の順番にしたがって作動するように制御するシーケンス制御回路を備えていることを特徴とする。
【００２４】
また、請求項７の発明は、請求項６に記載の液晶表示装置において、前記シーケンス制御回路は、第１の電源回路、第４の電源回路、第２の電源回路、第３の電源回路の順に作動させるようになされていることを特徴とする。この場合、この順番の後の他の電源回路の作動順序は任意である。
【発明の効果】
【００２５】
本発明は上記のような構成を備えることにより以下に述べるような優れた効果を奏する。すなわち、請求項１の発明によれば、液晶表示装置駆動用に必要な全ての電源回路が電源用ＩＣ内に一体化されているため、回路全体を小型化でき、しかも安価な電源用ＩＣを備えた液晶表示装置が得られる。
【００２６】
また、請求項２の発明によれば、アナログ回路であるγ補正回路用の電源供給回路及びコモン電圧供給用電源回路もその他のデジタル電源回路とともに電源用ＩＣ内に一体化されているために小型化することができるばかりでなく、演算増幅回路のフィードバック線を短くすることができるため、デジタル回路からのノイズが乗り難くなり、出力電圧が安定化されるので、良好な表示画質の液晶表示装置が得られる。
【００２７】
また、請求項３の発明によれば、第１の電源回路は制御用ＩＣ、ゲートドライバ及びソースドライバの駆動用電圧である通常３．３Ｖの定電圧で大きな電流が要求され、また、第２の電源回路はソースドライバを介して液晶表示パネルの列ラインに印加する高電圧が要求されるが、スイッチングレギュレータによればこれらの電圧をそれぞれ効率よく発生することができるので、発熱が少なくなる。
【００２８】
また、請求項４の発明によれば、第３及び第４の電源回路からの電圧は、ゲートドライバを介して液晶表示パネルのＴＦＴのゲート電極に印加する電圧であって、消費電力は小さいから、チャージポンプ用パルス生成回路によれば低消費電力で効率よく所望の電圧を発生することができる。
【００２９】
また、請求項５の発明によれば、電源が投入されてから過電流保護回路がリセットされるから、電源投入時の過度現象の影響を避けることができ、過電流保護回路の誤動作が少なくなる。
【００３０】
また、請求項６及び７の発明によれば、全ての回路に同時に所定の電源電圧を供給することができなくても、電源電圧が必要な順序に供給するようにしたため、誤動作及び故障が少なくなる。
【発明を実施するための最良の形態】
【００３１】
以下、本発明を実施するための最良の形態を実施例及び図面を用いて詳細に説明するが以下に述べた実施例は、本発明の技術思想を具体化するための液晶表示装置の一例を例示するものであって、本発明をこの実施例に特定することを意図するものではなく、本発明は特許請求の範囲に示した技術思想を逸脱することなく種々の変更を行ったものにも均しく適用し得るものである。なお、図１は、本発明の液晶表示装置の概略構成を示すブロック図であり、図２は図１の電源供給用ＩＣの概略構成を示すブロック図である。
【実施例】
【００３２】
図１において、本実施例の液晶表示装置１０は、液晶表示パネル１１、制御用ＩＣ１２、電源供給用ＩＣ１３、γ補正回路１４、複数個のソースドライバ１５及びゲートドライバ１６を備えている。液晶表示パネル１１の構成、ソースドライバ１５及びゲートドライバ１６の配置は、図７に示した従来例のものと同様であるので、その詳細な説明は省略する。
【００３３】
制御用ＩＣ１２は、図示しない入力インタフェースを介して、コンピュータ、テレビジョン装置、ビデオ再生装置、ＤＶＤ（Digital Versatile Disk）再生装置等から送られてきたデータイネーブル信号ＤＥ、たとえばＲＧＢ各８ビットのデジタル画素データＩＲＤＩＧＤ、ＩＢＤ、クロック信号ＤＯＴＣＬ、垂直同期信号ＶＳＹＮ、水平同期信号ＨＳＹＮ等を取り込んでデジタル的に信号処理し、デジタルＲＧＢ出力信号ＯＲＤ、ＯＧＤ、ＯＢＤをソースドライバ１５へ供給し、クロックパルスＣＰＶを電源用ＩＣ１３及びゲートドライバ１６へ供給するとともに、フレーム信号（スタートパルス）ＦＬＭもゲートドライバ１６へ供給する。
【００３４】
電源供給用ＩＣ１３は、供給された電源電圧ＶＩＮ（例えば１２Ｖ）をもとに、液晶表示装置１０内で使用される各種の電圧、例えば、制御用ＩＣ１２、ソースドライバ１５及びゲートドライバＩＣ１６の駆動用電圧ＶＤＤ、γ補正回路用基準電圧ＶＣＯＭ１及びＶＣＯＭ２、ソースドライバ１５を介して液晶表示パネル１１の列ライン１７に印加するための電圧ＶＧＥＮ、ゲートドライバ１６を介して液晶表示パネル１１の列ライン１８に印加するための電圧ＶＧＨ及びＶＧＬ、液晶表示パネル１１の共通電極に印加するための電圧Ｖcomを生成する。
【００３５】
γ補正回路１４は、図８に示した従来例の階調電圧生成回路６２と同様の構成を備えており、電源供給用ＩＣ１３から供給されたγ補正回路用基準電圧ＶＣＯＭ１及びＶＣＯＭ２を抵抗分圧することにより階調電圧ＶＧＭ１〜ＶＧＭ１０を作成して各ソースドライバ１５へ供給し、ソースドライバ１５は、この階調電圧ＶＧＭ１〜ＶＧＭ１０を内蔵されているＤ／Ａコンバータの基準電圧として利用することにより、デジタルＲＧＢ出力信号ＯＲＤ、ＯＧＤ、ＯＢＤを処理して液晶表示パネル１１の列ライン１７にγ補正されたアナログ画像データ信号を供給する。
【００３６】
この電源供給用ＩＣ１３の一具体例を図２を用いて説明する。電源供給用ＩＣ１３は、スイッチオンリセット回路２０、過電流保護回路２１、２つのスイッチングレギュレータ２２及び２３、チャージポンプ用パルス生成回路２４、γ補正回路用基準電圧ＶＣＯＭ１及びＶＣＯＭ２の生成回路２５（第５の電源回路）、及び、液晶表示パネル１１の共通電極に印加するための電圧Ｖcomの生成回路２６（第６の電源回路）を備えている。このうち、液晶表示パネル１１の共通電極に印加するための電圧Ｖcomの生成回路２６は演算増幅器からなり、また、γ補正回路用基準電圧ＶＣＯＭ１及びＶＣＯＭ２の生成回路２５も２つの演算増幅器２７及び２８から構成されている。
【００３７】
さらに、電源供給用ＩＣ１３は、複数のタイマ２９及び３０、シーケンス回路３１を備えている。なお、図２においてはシーケンス回路３１からの配線は一部しか示していないが、シーケンス回路３１は２つのスイッチングレギュレータ２２及び２３、チャージポンプ用パルス発生回路２４にも接続されており、複数のタイマ２９及び３０の出力とも組み合わされて電源電圧ＶＩＮが供給された後に所定の順番に各種の電圧が発生するように構成されている。
【００３８】
スイッチングレギュレータ２２は、制御用ＩＣ１２、ソースドライバ１６及びゲートドライバＩＣ１７の駆動用電圧ＶＤＤ（例えば５Ｖ）を生成するためのものであるが、この駆動用電圧ＶＤＤは大電流が必要であるため、出力トランジスタを含む降圧回路３２は外付けとした。同じくスイッチングレギュレータ２３は、ソースドライバ１５を介して液晶表示パネル１１の列ライン１７に印加するための電圧ＶＧＥＮを生成するためのものであり、この電圧ＶＧＥＮは出力電圧が高く、しかもかなりの電流が流れるために、出力トランジスタを含む昇圧回路３３も外付けとしてある。なお、この電圧ＶＧＥＮは、γ補正回路用基準電圧ＶＣＯＭ１及びＶＣＯＭ２の生成回路２５の演算増幅器２７及び２８、液晶表示パネル１１の共通電極に印加するための電圧Ｖcomの生成回路２６の演算増幅器用の電源電圧等としても使用される。
【００３９】
また、チャージポンプ用パルス発生回路２４の出力は、複数のコンデンサ及びダイオードの組合せからなる昇圧チャージポンプ３４及び極性反転チャージポンプ３５を経て、ゲートドライバ１６を介して液晶表示パネル１１の列ライン１８に印加されるＶＧＨ及びＶＧＬを生成する。
【００４０】
さらに、液晶表示パネル１１の共通電極に印加するための電圧Ｖcomの生成回路２６は、演算増幅器をバッファとして使用することにより、電圧ＶＧＥＮを分圧して所定電圧Ｖcomを生成する。この際、液晶表示パネル１１の共通電極に印加するための電圧Ｖcomは、過度的に大電流が流れることがあるので、出力トランジスタを組み込むことが望ましい。また、γ補正回路用基準電圧ＶＣＯＭ１及びＶＣＯＭ２の生成回路２５も、２つの演算増幅器をそれぞれバッファとして使用することにより、電圧ＶＧＥＮを分圧しγ補正回路用基準電圧ＶＣＯＭ１及びＶＣＯＭ２を生成している。
【００４１】
この電源供給用ＩＣ１３の電源電圧ＶＩＮ供給時の動作は次のとおりとなる。すなわち、電源供給用ＩＣ１３は、電源電圧ＶＩＮが供給されると、まずスイッチオンリセット回路２０が作動して過電流保護回路２１をリセットし、次いで、前記シーケンス制御回路３１は、スイッチングレギュレータ２２（第１の電源回路）を作動可能として制御用ＩＣ１２、ソースドライバ１５及びゲートドライバ１６に駆動用電圧ＶＤＤを出力する。その後、チャージポンプ用パルス生成回路２４に接続されている極性反転チャージポンプ３５（第４の電源回路）を作動可能として電源供給用ＩＣ１３が生成する最も低い電圧であるＶＧＬを生成させ、次に、別のスイッチングレギュレータ２３（第２の電源回路）を作動可能として高電圧でありしかも電源供給用ＩＣ１３の内部回路でも使用される電圧ＶＧＥＮを生成させ、次にチャージポンプ用パルス生成回路２４に接続されている昇圧チャージポンプ３４（第３の電源回路）を作動させて高い電圧ＶＧＨを生成させる。なお、その他の電圧ＶＣＯＭ１及びＶＣＯＭ２の生成順位は、これらの電圧の負荷は抵抗であるため、任意である。
【００４２】
このような構成とすれば、電源電圧ＶＩＮが電源供給用ＩＣ１３に供給されると、まず過電流保護回路２１をリセットするため、定常状態になってから過電流保護回路２１が作動するために、電源電圧ＶＩＮが供給された際に過度的に大電流が流れることによる誤動作が少なくなる。さらに、シーケンス回路３１により、最初に電源供給用ＩＣ１３で生成する電圧を、制御用ＩＣ１２、ソーストドライバ１５及びゲートドライバ１６の駆動用電圧ＶＤＤを生成することによりこれらの回路を作動可能とさせた後、ゲートドライバ１６に供給するための低い電圧ＶＧＬを出力し、その後に電源供給用ＩＣ１３が生成する高い電圧でありしかも電源供給用ＩＣ１３内でも使用する電圧ＶＧＥＮ、ゲートドライバ１６に供給するための高い電圧ＶＧＨの順に生成させるようにしているため、各回路に高電圧が印加される前に他の所定の電圧が印加されているため、各回路は誤動作及び破損することが少なくなる。
【００４３】
加えて、電源供給用ＩＣ１３内に演算増幅器を含むアナログ回路であるγ補正回路用基準電圧ＶＣＯＭ１及びＶＣＯＭ２の生成回路２５、液晶表示パネル１１の共通電極に印加するための電圧Ｖcomの生成回路２６をも一体に組み込んでその他のデジタル電源回路とともに一体化したため、回路全体を小型化でき、また、演算増幅回路のフィードバック線を短くすることができるのでデジタル回路からのノイズが乗り難くなり、出力電圧が安定化されるので、安価で良好な表示画質の液晶表示装置が得られる。
【図面の簡単な説明】
【００４４】
【図１】本発明の液晶表示装置の概略構成を示すブロック図である。
【図２】図１の電源供給用ＩＣの概略構成を示すブロック図である。
【図３】液晶表示パネルの液晶セルに印加される電圧と光の透過率との関係を示す図である。
【図４】液晶表示パネルの液晶セルに印加される信号レベルと透過率Ｔの関係を示す図である。
【図５】人間の目が表示された画像に対して違和感なく自然に感じる画像の信号レベルと輝度との関係を示す図である。
【図６】図５に示した関係をえるための信号階調レベルと印加電圧との関係の一例を示す図である。
【図７】従来の液晶表示装置の概略構成を示すブロック図である。
【図８】従来の階調電圧生成回路の一具体例である。
【符号の説明】
【００４５】
１０  液晶表示装置
１１  液晶表示パネル
１２  制御用ＩＣ
１３  電源供給用ＩＣ
１４  γ補正回路
１５  ソースドライバ
１６  ゲートドライバ
２０  スイッチオンリセット回路
２１  過電流保護回路
２２、２３  スイッチングレギュレータ
２４  チャージポンプ用パルス生成回路
２５  γ補正回路用基準電圧ＶＣＯＭ１及びＶＣＯＭ２の生成回路
２６  Ｖcomの生成回路
２７、２８  演算増幅器
【図１】
2006171367.tif 000003
【図２】
2006171367.tif 000004
【図３】
2006171367.tif 000005
【図４】
2006171367.tif 000006
【図５】
2006171367.tif 000007
【図６】
2006171367.tif 000008
【図７】
2006171367.tif 000009
【図８】
2006171367.tif 000010